(57)【要約】【課題】外部コードをケース本体から切り離すことなく検出器の突出寸法を容易かつ迅速に変更することができるようにした室内型雰囲気検出器を提供する。【解決手段】室内の取付面に取付けられるベースプレート２４に対してケース本体２６を長溝３３と係合部５４との係合によって前後方向に移動調整可能に取付ける。ケース本体２６の裏面側に左右一対の突出寸法変更部材２８を上下方向に摺動自在に取付け、リアカバー７０のガイド部７４によって突出寸法変更部材２８の脱落を防止する。突出寸法変更部材２８は、通常の取付時においてケース本体２６およびリアカバー７０とともにベースプレート２４内に収納される。ケース本体２６の突出寸法を大きくする場合は、ケース本体２６をベースプレート２４から外し、突出寸法変更部材２８を下方に移動させることにより、突出寸法変更部６４Ｂ，６４Ｃをベースプレート２４のケース本体用取付部３５とケース本体２６のねじ挿通穴５０との間に介在させる。そして、止めねじ２５によってケース本体２６をベースプレート２４に固定する。【選択図】  図４
2005172470.tif 000002
【特許請求の範囲】
【請求項１】
室内の取付面に取付けられるベースプレートと、このベースプレートに取付けられるケース本体と、このケース本体に組み付けられる検出素子と、前記ケース本体の前面を覆う前面カバーとを備えた室内型雰囲気検出器において、
前記ケース本体を前記ベースプレートに対して前後方向に位置調整可能に取付け、前記ケース本体の前記取付面からの突出寸法を選択的に変更する突出寸法変更部材を前記ケース本体または前記ベースプレートに設けたことを特徴とする室内型雰囲気検出器。
【請求項２】
請求項１記載の室内型雰囲気検出器において、
前記ベースプレートに、前記ケース本体を固定するためのケース本体固定用ねじがねじ込まれるねじ穴を有する複数個のケース本体用取付部を設け、
前記ケース本体に、前記ケース本体固定用ねじが挿通されるねじ挿通穴と、レバー挿通穴を形成し、前記ケース本体の裏面側に前記突出寸法変更部材を摺動自在に設け、
前記突出寸法変更部材に、前記ケース本体固定用ねじが挿通される挿通穴を有し前記ベースプレートの前記ケース本体用取付部と前記ケース本体のねじ挿通穴との間または前記ケース本体用取付部の側方に選択的に位置づけられることにより前記ケース本体の突出寸法を変更する突出寸法変更部と、前記ケース本体の前記レバー挿通穴に摺動自在に挿通され前記ケース本体の表面側に突出するレバー部とを設けたことを特徴とする室内型雰囲気検出器。
【請求項３】
請求項１または２記載の室内型雰囲気検出器において、
前記ケース本体の裏面側に前記突出寸法変更部材を案内し前記ケース本体からの脱落を防止するガイド部を有するリアカバーを固定したことを特徴とする室内型雰囲気検出器。
【発明の詳細な説明】
【技術分野】
【０００１】
本発明は、室内型雰囲気検出器に関し、特に室内の取付面（壁面や支柱の側面）に取付けられ、室内の温度、湿度、ガス、煙等の物理量を検出する室内型雰囲気検出器に関するものである。
【背景技術】
【０００２】
室内型雰囲気検出器の一種として、室内の空調制御に用いられる室内型温度検出器が知られている。この種の室内型温度検出器は、通常室内の壁面または支柱の側面を取付面とし、室内の平均温度を示す床上１．５ｍの高さ位置に取付けられる。
【０００３】
このような室内型温度検出器は、室内に取付けられることから、取付面からの突出寸法を小さくするために可及的薄く形成したものであることが要望されている。一方、取付面となる壁内や支柱内を通る水管などにより、またはダクトからの冷風や温風、太陽からの輻射熱などの外乱による影響を受ける場合は、室内型温度検出器の検出精度が低下するため、検出器の厚さを厚くして検出素子を取付面から可及的遠くへ離す必要がある。この場合、厚さが異なる２種類の検出器を製作すると、製造コストが高くなり、また機種の増加により機種別による管理を要し管理が煩わしいという問題が生じる。
【０００４】
そこで、従来は図１０に示すように、室内の取付面１に室内型温度検出器２を取付けるに当たり、台座３を用いて取付け検出器内部の検出素子４を取付面１から離間させることにより、取付面１からの冷風や温風、太陽からの輻射熱などの外乱による影響を軽減するようにしている。５はプリント配線基板、６は外部コードである。７は前面カバー、８はケース本体、９はベースプレートで、これらによって前記室内型雰囲気検出器２を構成している。なお、出願人は、出願時までに本発明に関連する先行技術文献を発見することができなかった。よって、先行技術文献情報を開示していない。
【発明の開示】
【発明が解決しようとする課題】
【０００５】
しかしながら、図１０に示した従来の室内型温度検出器２は、台座３を用いないで使用している状態において、外乱による影響が大きいことが判明したため、台座３をベースプレート９とケース本体８との間に介在させる必要が生じた場合、その作業が煩わしく、時間がかかるという問題があった。すなわち、このような場合の作業手順を説明すると、以下のとおりとなる。先ずコントローラによって制御される空調装置等の負荷装置（例えば、コンプレッサ）の給電を切り、次いで室内型温度検出器２の前面カバー７を外す。さらにケース本体８をベースプレート９から外す。次に、外部コード６をケース本体８の端子１０から切り離し、台座３をベースプレート９に固定する。次に、外部コード６を台座３に挿通して前方に引出し前記端子１０に再び接続した後、ケース本体８を台座３に固定する。しかる後、前面カバー７をケース本体８に取付け、温度検出器２の取付作業を終了する。
【０００６】
このように、台座３をベースプレート９とケース本体８との間に介在させて温度検出器２の取付面１からの突出寸法を大きくする場合は、外部コード６を枠体からなる台座３に挿通する必要があることから、外部コード６を端子１０から一旦外し、台座３をベースプレート９に固定した後、再度端子１０に接続する必要があるため、作業工数が多く、時間を要することになる。
【０００７】
そこで、本発明者等は、特に外部コード６をケース本体８から一時的に切り離すことなく検出器の突出寸法を増大させるには如何なる構造にすればよいかについて検討した結果、ケース本体をベースプレートに対して前後方向に移動調整可能に取付け、ケース本体の取付面からの突出寸法を選択的に可変設定する突出寸法変更部材を予めケース本体またはベースプレートに組み込んでおくと、外部コード６をケース本体８から切り離すことなく検出器の突出寸法を容易かつ迅速に変更することができることが判った。
【課題を解決するための手段】
【０００８】
上記目的を達成するために第１の発明は、室内の取付面に取付けられるベースプレートと、このベースプレートに取付けられるケース本体と、このケース本体に組み付けられる検出素子と、前記ケース本体の前面を覆う前面カバーとを備えた室内型雰囲気検出器において、前記ケース本体を前記ベースプレートに対して前後方向に位置調整可能に取付け、前記ケース本体の前記取付面からの突出寸法を選択的に変更する突出寸法変更部材を前記ケース本体または前記ベースプレートに設けたものである。
【０００９】
また、第２の発明は上記第１の発明において、前記ベースプレートに、前記ケース本体を固定するためのケース本体固定用ねじがねじ込まれるねじ穴を有する複数個のケース本体用取付部を設け、前記ケース本体に、前記ケース本体固定用ねじが挿通されるねじ挿通穴と、レバー挿通穴を形成し、前記ケース本体の裏面側に前記突出寸法変更部材を摺動自在に設け、前記突出寸法変更部材に、前記ケース本体固定用ねじが挿通される挿通穴を有し前記ベースプレートの前記ケース本体用取付部と前記ケース本体のねじ挿通穴との間または前記ケース本体用取付部の側方に選択的に位置づけられることにより前記ケース本体の突出寸法を変更する突出寸法変更部と、前記ケース本体の前記レバー挿通穴に摺動自在に挿通され前記ケース本体の表面側に突出するレバー部とを設けたものである。
【００１０】
さらに、第３の発明は上記第２の発明において、前記ケース本体の裏面側に前記突出寸法変更部材を案内し前記ケース本体からの脱落を防止するガイド部を有するリアカバーを固定したものである。
【発明の効果】
【００１１】
第１の発明において、通常検出器は取付面に対して突出寸法を小さくして取付けられ、検出素子が取付面の近くに位置している。検出素子に対する取付面からの影響が大きいことが判った場合は、検出素子を取付面からできるだけ遠くへ離す必要がある。その場合、ケース本体をベースプレートから外し、突出寸法変更部材を介してケース本体をベースプレートに固定すると、突出寸法変更部材の厚さだけケース本体が前方に突出して検出素子を取付面から離間させる。
この場合、突出寸法変更部材はもともとケース本体またはベースプレートに組み付けられているので、突出寸法変更部材を用いて検出器の厚さを変更するとき、ケース本体をベースプレートから取り外しても外部コードはケース本体から切り離す必要がなく、作業が容易である。
【００１２】
第２の発明において、突出寸法変更部材の突出寸法変更部をベースプレートのケース本体用取付部とケース本体のねじ挿通穴との間に介在させると、ケース本体の突出寸法は大きくなる。突出寸法変更部をケース本体用取付部の側方に位置させると、ケース本体のねじ挿通穴がケース本体用取付部に近づくため、ケース本体の突出寸法は小さくなる。
【００１３】
第３の発明において、リアカバーのガイド部は突出寸法変更部材を案内支持し、ケース本体から脱落するのを防止する。
【発明を実施するための最良の形態】
【００１４】
以下、本発明を図面に示す実施の形態に基づいて詳細に説明する。
図１は本発明に係る室内型雰囲気検出器の一実施の形態を示す通常取付時の外観斜視図、図２はケース本体の突出寸法を大きくさせて取付けた状態を示す同検出器の外観斜視図、図３は同検出器の分解斜視図、図４は同検出器の主要構成部品の分解斜視図、図５は突出寸法変更部材を取付けた状態のケース本体の背面図、図６は突出寸法変更部材とリアカバーを取付けた状態のケース本体の背面図である。図７は突出寸法変更部材をベースプレート内に収納した状態を示す断面図、図８はケース本体の突出寸法を大きくするために突出寸法変更部材をベースプレートから引き出し下方にスライドさせた状態を示す断面図、図９（ａ）、（ｂ）は通常取付時の検出器の突出寸法を示す図および突出寸法を大きくしたときの状態を示す図である。
【００１５】
これらの図において、本実施の形態は、室内の温度を検出する室内型温度検出器２０に適用した例について説明する。
【００１６】
前記室内型温度検出器２０は、図３に示すように室内の取付面１に２個の止めねじ２１によって固定される取付プレート２２と、この取付プレート２２の前面に１個の止めねじ２３と係止手段（後述する）とによって固定されるベースプレート２４と、このベースプレート２４の前面に４個の止めねじ（ケース本体固定用ねじ）２５によって前後方向に移動調整可能に取付けられるケース本体２６と、このケース本体２６の前面を覆う前面カバー２７と、前記ケース本体２６内に取付けられる左右一対の突出寸法変更部材２８等で構成されている。
【００１７】
前記取付プレート２２は、厚さ１．６ｍｍ程度の金属板によって略正方形の枠型に形成され、左右両側辺の高さ方向中央部に前記止めねじ２１が挿通されるねじ挿通穴３０がそれぞれ形成され、内側縁には上方側に１つ、下方側に３つ、合計４つの係止部３１が突設され、さらに上辺には前記止めねじ２３がねじ込まれるねじ穴３２が形成されている。
【００１８】
図４において、前記ベースプレート２４は、合成樹脂製で角筒体からなる本体２４Ａと、この本体２４Ａの後方側開口端に一体に突設された外フランジ２４Ｂおよび内フランジ２４Ｃとで構成されている。前記本体２４Ａの上下左右に対向する４つの内面には、前記ケース本体２６の前後移動を可能にするガイド部としての長溝３３がそれぞれ形成されている。これらの長溝３３は、前端が本体２４Ａの前方側開口端付近にまで延在し、後端が本体２４Ａの後方側開口端に開放している。
【００１９】
前記外フランジ２４Ｂは、前記取付プレート２２と略同一の大きさの四角形に形成されている。前記内フランジ２４Ｃは、左右両側辺の幅が広く、上辺および下辺の幅が狭い矩形に形成され、左右の両側辺に前記止めねじ２５がねじ込まれるねじ穴３４を有する筒状のケース本体用取付部３５が、左右一対ずつ合計４個、本体２４Ａの内面に沿って前方に一体に突設され、上辺には前記止めねじ２３（図３）が挿通されるねじ挿通穴３６を有するベースプレート用取付部３７が同じく前方に向かって一体に突設されている。内フランジ２４Ｃの上下左右４つの辺で前記長溝３３に対応する箇所には、切欠部３８がそれぞれ形成されている。また、上辺と下辺には前記取付プレート２２の係止部３１（図３）がそれぞれ係入する係入穴３９が形成されており、これらの係止部３１と係入穴３９とで前記ベースプレート２４を取付プレート２２に対して係止する係止手段を形成している。
【００２０】
前記ケース本体２６は、同じく合成樹脂製で背面側に開放し、前記ベースプレート２４の本体２４Ａ内に前後方向に移動自在に嵌合し得る大きさの浅底箱型に形成されている。ケース本体２６の前面中央には、温度検出素子４３（図３）を搭載してなるプリント配線基板４５が実装され、裏面中央にはモジュラコネクタ４６（図３）が取付けられ、前記プリント配線基板４５に電気的に接続されている。また、モジュラコネクタ４６には、前記取付面１より引き出され前記取付プレート２２、ベースプレート２４および後述するリアカバー７０の開口部４７，４８，４９を通って前方に導かれる外部コード６の先端に取付けたモジュラコネクタ（図示せず）が接続されている。また、前記ケース本体２６の前面両側部には、左右２個ずつ合計４個のねじ挿通穴５０が前記ベースプレート２４のねじ穴３４に対応して形成されている。さらに、左右両端部には、左右１個ずつ合計２個のレバー挿通穴５１が同じく裏面側に貫通して形成されている。レバー挿通穴５１は縦方向に長い長穴からなり、上方側のねじ挿通穴５０の真下に位置して形成されている。また、ケース本体２６の前面で上端部および下端部には、前記前面カバー２７を着脱可能に係止する３つの係止部５２と受け部５３が一体に突設されている。さらに、ケース本体２６の四辺を構成する上板部、下板部および左右の側板部の後端面には、前記ベースプレート２４の長溝３３にそれぞれ係入され、ケース本体２６のベースプレート２４からの脱落を防止する係合部５４が一体に突設されている。
【００２１】
図５および図６において、前記ケース本体２６の内側両側部は、前記突出寸法変更部材２８を上下動自在に収納する収納部６１をそれぞれ形成しており、これらの収納部６１の内側に前記リアカバー７０が嵌合する矩形の枠体６２が一体に突設されている。
【００２２】
再び図４において、前記突出寸法変更部材２８は、合成樹脂によって一体に形成されたもので、上下方向に延在する板状の本体６４Ａと、前記止めねじ２５がそれぞれ挿通される挿通穴６３を有し前記本体６４Ａの一側面上下端に一体に突設された筒状体からなる一対の突出寸法設定部６４Ｂ，６４Ｃと、前記本体６４Ａの中間部に前方に向かって一体に突設されたレバー部６４Ｄとからなり、このレバー部６４Ｄと上方側の突出寸法設定部６４Ｂとの間に前記ベースプレート２４のケース本体用取付部３５が入り込み得る大きさの凹陥部６６が形成されている。ねじ取付部６４Ｂと６４Ｃの間隔は、ベースプレート２４の上下に離間する２つのケース本体取付部３５，３５および前記ケース本体２６の上下に離間して形成されている２つのねじ挿通穴５０，５０の間隔と等しく設定されている。このような突出寸法変更部材２８は、ケース本体２６の左右の収納部６１に背中合わせになるようにそれぞれ組み込まれ、レバー部６４Ｄがレバー挿通穴５１に挿通され前端部がカバー本体２６の前方に突出している。
【００２３】
図４および図６において、前記リアカバー７０は、前記ケース本体２６の枠体６２に後方から嵌合されることによりケース本体２６の背面中央部を覆うもので、上下辺にねじ取付穴７１，７２がそれぞれ形成されており、これらのねじ取付穴７１，７２に挿通される２本の止めねじ７３（図３）によってケース本体２６の背面に固定されている。また、リアカバー７０の左右両側辺には、前記突出寸法変更部材２８の後端面を上下動自在に支持しケース本体２６の収納部６１からの脱落を防止する平板状のガイド部７４が一体に突設されている。
【００２４】
図１〜図３において、前記ケース本体２６の前面を覆う前記前面カバー２７は、合成樹脂によって背面が開放し上下面および左右両側面に通気用窓８０を有する箱型に形成され、内面に前記ケース本体２６の係合部５２（図４）に係合する図示しない係合部が一体に突設されている。
【００２５】
次に、このような構造からなる室内型温度検出器２０の取付面１への取付手順について説明する。
先ず、取付面１に取付プレート２２を２本の止めねじ２１（図３）によって固定する。
次に、この取付プレート２２にベースプレート２４を１本の止めねじ２３と、係止部３１（図３）と係入部３９（図４）とからなる係止手段によって固定する。
次に、取付面１から前記取付プレート２２およびベースプレート２４の開口４７，４８を貫通して外部に引き出した外部コード６をリアカバー７０の開口４９に挿通しケース本体２６の背面に導く。そして、外部コード６の先端に取付けられているモジュラジャック（図示せず）をケース本体２６の背面中央に取付けられているモジュラジャック４６（図５）に接続する。
【００２６】
次に、左右一対の突出寸法変更部材２８をケース本体２６の収納部６１にそれぞれ収納してレバー部６４Ｄをレバー挿通穴５１に挿入し、ケース本体２６の前方に突出させる。
次に、リアカバー７０をケース本体２６の枠体６２に嵌合し、２本の止めねじ７３によって固定する。
次に、ケース本体２６をベースプレート２４の本体２４Ａに前方から嵌合する。このとき、係合部５４は内側に弾性変形することにより長溝３３に摺動自在に係合し、ケース本体２６のベースプレート２４からの前方への抜けを防止する。
【００２７】
ケース本体２６をベースプレート２４に嵌合するとき、図５に示すように突出寸法変更部材２８を上方に位置させ、突出寸法変更部６４Ｂ，６４Ｃを上下のねじ挿通穴５０，５０の上方にそれぞれ位置させ、凹陥部６６を上方のねじ挿通穴５０に一致させておく。突出寸法変更部材２８を上方に移動させるには、レバー挿通穴５１から前方に突出しているレバー部６４Ｄを指で上方に移動させればよい。この状態でケース本体２６をベースプレート２４の本体２４Ａに嵌合すると、図７に示すように突出寸法変更部材２８はケース本体２６およびリアカバー７０とともにベースプレート２４の本体２４Ａ内に収納される。このため、突出寸法変更部材２８の上下の突出寸法変更部６４Ｂ，６４Ｃは、ベースプレート２４の上下のケース本体用取付部３５，３５の上方にそれぞれ位置し、上方側のケース本体用取付部３５が凹陥部６６に差し込まれる。そして、この状態で止めねじ２５をケース本体２６のねじ挿通穴５０と突出寸法変更部材２８の挿通穴６３に挿通してベースプレート２４のねじ穴３４にねじ込むと、ケース本体２６はベースプレート２４に対して固定される。
【００２８】
しかる後、前面カバー２７をケース本体２６に取付けることにより、室内型温度検出器２０の取付面１への取付作業を完了する。図９（ａ）はこのときの室内型温度検出器２０の取付状態を示す図で、取付面１からの突出寸法Ｈは例えば３８．５ｍｍである。
【００２９】
取付面１からの検出素子４３に対する熱的影響が大きいことが判明したため、室内型温度検出器２０の突出寸法Ｈを図９（ｂ）に示すようにＨ’（Ｈ＜Ｈ’、例えばＨ’＝４７．５ｍｍ）に変更する必要が生じた場合は、以下の手順によって行う。
先ず、４本の止めねじ２５を外す。
次に、ケース本体２６をベースプレート２４の前方に最大寸法引き出す。ケース本体２６を引き出すと、突出寸法変更部材２８およびリアカバー７０もベースプレート２４と一体に前方に移動する。
次に、この状態でレバー部６４Ｄを手で下方に引き下げて突出寸法変更部材２８を下方に移動させる。突出寸法変更部材２８を引き下げると、突出寸法変更部６４Ｂ，６４Ｃは図８に示すようにベースプレート２４のケース本体用取付部３５と重なり合う。そして、この状態で止めねじ２５をケース本体２６のねじ挿通穴５０、突出寸法変更部材２８の挿通孔６３に挿通し、ベースプレート２４のねじ穴３４にねじ込む。これにより、ケース本体２６はベースプレート２４に対して突出寸法変更部材２８を介して固定され、室内温度検出器２０の取付面１からの突出寸法がＨからＨ’に変更される。図９（ｂ）はこの状態を示す。
【００３０】
このような突出寸法の変更作業においては、予め突出寸法変更部材２８をケース本体２６に組み込んでいるので、ベースプレート２４からケース本体２６を取り外した後、リアカバー７０をケース本体２６から外したり、外部コード６をケース本体２６から一時的に切り離す必要がない。したがって、室内型温度検出器２０の突出寸法の変更作業を迅速かつ容易に行うことができる。
【００３１】
また、室内型温度検出器２０の突出寸法をＨからＨ’に変更しても、突出寸法変更部材２８自体はベースプレート２４とケース本体２６との間にあってケース本体２６の一部を構成しているがごとく視認されるので、温度検出器２０の外観を損なうこともない。
【００３２】
なお、本実施の形態においては、突出寸法変更部材２８を本体６４Ａと、一対の突出寸法変更部６４Ｂ，６４Ｃと、レバー部６４Ｃとで構成し、上方側の突出寸法変更部６４Ｂとレバー部６４Ｄとの間に凹陥部６６を設け、ケース本体２６の収納部６１に上下方向に摺動自在に組み込んだ例を示したが、本発明はこれに何ら特定されるものではなく、種々の変更、変形が可能である。例えば、突出寸法変更部材２８を圧縮コイルばねで構成し、圧縮状態と自然な状態の切替によって、ケース本体２６の突出寸法を変更するようにしてもよい。また、突出寸法変更部材２８は２個に限らず、枠状体に形成されたものであってもよい。
【００３３】
また、突出寸法変更部材２８をケース本体２６に回動自在に組込み、突出寸法をＨからＨ’に変更するとき突出寸法変更部材を回動させてケース本体用取付部３５とねじ挿通穴５０との間に介在させるようにしてもよい。
【００３４】
さらに、突出寸法変更部材２８はケース本体２６側に組み込まれるものに限らず、ベースプレート２４側に組み込まれるものであってもよい。
【産業上の利用可能性】
【００３５】
本発明は室内型雰囲気検出器として温度検出器２０に適用した例を示したが、これに限らずガス検出器、煙検出器、温度調節器、湿度調節器等にも用いることができる。
【図面の簡単な説明】
【００３６】
【図１】本発明に係る室内型雰囲気検出器の一実施の形態を示す通常取付時の外観斜視図である。
【図２】ケース本体の突出寸法を大きくさせて取付けた状態を示す同検出器の外観斜視図である。
【図３】同検出器の分解斜視図である。
【図４】同検出器の主要構成部品の分解斜視図である。
【図５】突出寸法変更部材を取付けた状態のケース本体の背面図である。
【図６】突出寸法変更部材とリアカバーを取付けた状態のケース本体の背面図である。
【図７】突出寸法変更部材をベースプレート内に収納した状態を示す断面図である。
【図８】ケース本体の突出寸法を大きくするために突出寸法変更部材をベースプレートから引き出し下方にスライドさせた状態を示す断面図である。
【図９】（ａ）、（ｂ）は通常取付時の検出器の突出寸法を示す図および突出寸法を大きくしたときの状態を示す図である。
【図１０】台座を用いた従来の温度検出器の取付構造を示す図である。
【符号の説明】
【００３７】
１…取付面、６…外部コード、２０…温度検出器、２２…取付プレート、２４…ベースプレート、２５…止めねじ、２６…ケース本体、２７…前面カバー、２８…突出寸法変更部材、３３…長溝、３４…ねじ穴、３５…ケース本体用取付部、３７…ベースプレート用取付部、５０…ねじ挿通穴、５１…レバー挿通穴、５４…係合部、６１…収納部、６３…挿通穴、６４Ａ…本体、６４Ｂ，６４Ｃ…突出寸法変更部、６４Ｄ…レバー部、６６…凹陥部、７０…リアカバー、７４…ガイド部。
【図１】
2005172470.tif 000003
【図２】
2005172470.tif 000004
【図３】
2005172470.tif 000005
【図４】
2005172470.tif 000006
【図５】
2005172470.tif 000007
【図６】
2005172470.tif 000008
【図７】
2005172470.tif 000009
【図８】
2005172470.tif 000010
【図９】
2005172470.tif 000011
【図１０】
2005172470.tif 000012